【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
ＳＡＳドメイン内でＳＡＳイニシエータとＳＡＳターゲットとの間のデータ接続のためのシリアル接続小型コンピュータシステムインターフェース（ＳＡＳ）ワイドポート接続の許容レーンを指定するための方法であって、
前記データ接続のための少なくとも１つのＳＡＳワイドポートの最適レーンを発見することと、
前記ＳＡＳドメインの各レベルの前記ＳＡＳワイドポート内で前記データ接続のための許容レーンを指定することと、
前記データ接続のための指定された許容レーンについてチェックすることと、
前記指定された許容レーンにおいて前記データ接続を形成することと、
を備える方法。
【請求項２】
請求項１に記載の方法であって、
前記データ接続のための少なくとも１つのＳＡＳワイドポートの最適レーンを発見することは、前記ＳＡＳイニシエータによって標準的ＳＡＳディスカバリプロセス中に実施される、方法。
【請求項３】
請求項１に記載の方法であって、
前記データ接続のための少なくとも１つのＳＡＳワイドポートの最適レーンを発見することは、更に、
ＳＡＳマネージメントプロトコル（ＳＭＰ）ディスカバリ応答を通じて最適レーンを示すことを含む、方法。
【請求項４】
請求項１に記載の方法であって、
前記ＳＡＳドメインの各レベルの前記ＳＡＳワイドポート内で前記データ接続のための許容レーンを指定することは、更に、
ＳＡＳイニシエータ接続要求を通じて、前記ＳＡＳドメインの各レベルの前記ＳＡＳワイドポート内で、前記データ接続のための許容レーンを指定することを含む、方法。
【請求項５】
請求項４に記載の方法であって、
ＳＡＳイニシエータ接続要求を通じて前記ＳＡＳドメインの各レベルの前記ＳＡＳワイドポート内で前記データ接続のための前記許容レーンを指定することは、更に、
前記ＳＡＳイニシエータ接続要求のＯＰＥＮフレームを通じて、前記ＳＡＳドメインの各レベルの前記ＳＡＳワイドポート内で、前記データ接続のための許容レーンを指定することを含む、方法。
【請求項６】
請求項１に記載の方法であって、
前記データ接続のための指定された許容レーンについてチェックすることは、更に、
ＳＡＳイニシエータ接続要求のＯＰＥＮフレームを、前記データ接続のための指定された許容レーンについてチェックすることを含む、方法。
【請求項７】
請求項１に記載の方法であって、
前記データ接続のための指定された許容レーンについてチェックすることは、更に、
ＳＡＳエクスパンダがＳＡＳイニシエータ接続要求のＯＰＥＮフレームの受信を受けて前記データ接続のための指定された許容レーンについてチェックすることを通じて、前記データ接続のための指定された許容レーンについてチェックすることを含む、方法。
【請求項８】
請求項１に記載の方法であって、
前記指定された許容レーンにおいて前記データ接続を形成することは、更に、
ＳＡＳエクスパンダがＳＡＳイニシエータ接続要求のＯＰＥＮフレームを前記指定された許容レーンについてチェックした後に、前記データ接続のための指定された許容レーンにおいて前記データ接続を形成することを通じて、前記指定された許容レーンにおいて前記データ接続を形成することを含む、方法。
【請求項９】
システムであって、
データ接続のための少なくとも１つのＳＡＳワイドポートの最適レーンを発見するための手段と、
ＳＡＳドメインの各レベルの前記ＳＡＳワイドポート内で前記データ接続のための許容レーンを指定するための手段と、
前記データ接続のための指定された許容レーンについてチェックするための手段と、
前記指定された許容レーンにおいてデータ接続を形成するための手段と、
を備えるシステム。
【請求項１０】
請求項９に記載のシステムであって、
前記データ接続のための少なくとも１つのＳＡＳワイドポートの最適レーンを発見するための手段は、ＳＡＳイニシエータが標準的ＳＡＳディスカバリプロセス中に最適レーンを発見することを含む、システム。
【請求項１１】
請求項９に記載のシステムであって、
前記データ接続のための少なくとも１つのＳＡＳワイドポートの最適レーンを発見するための手段は、更に、
ＳＡＳマネージメントプロトコル（ＳＭＰ）ディスカバリ応答を通じて最適レーンを示すための手段を含む、システム。
【請求項１２】
請求項９に記載のシステムであって、
前記ＳＡＳドメインの各レベルの前記ＳＡＳワイドポート内で前記データ接続のための許容レーンを指定するための手段は、更に、
ＳＡＳイニシエータ接続要求を通じて、前記ＳＡＳドメインの各レベルの前記ＳＡＳワイドポート内で、前記データ接続のための許容レーンを指定するための手段を含む、システム。
【請求項１３】
請求項１２に記載のシステムであって、
前記ＳＡＳイニシエータ接続要求を通じて、前記ＳＡＳドメインの各レベルの前記ＳＡＳワイドポート内で、前記データ接続のための許容レーンを指定するための手段は、更に、
前記ＳＡＳイニシエータ接続要求のＯＰＥＮフレームを通じて、前記ＳＡＳドメインの各レベルの前記ＳＡＳワイドポート内で、前記データ接続のための許容レーンを指定するための手段を含む、システム。
【請求項１４】
請求項９に記載のシステムであって、
前記データ接続のための指定された許容レーンについてチェックするための手段は、更に、
ＳＡＳイニシエータ接続要求のＯＰＥＮフレームを、前記データ接続のための指定された許容レーンについてチェックするための手段を含む、システム。
【請求項１５】
請求項９に記載のシステムであって、
ＳＡＳエクスパンダは、ＳＡＳイニシエータ接続要求のＯＰＥＮフレームの受信を受けて前記データ接続のための指定された許容レーンについてチェックする、システム。
【請求項１６】
請求項９に記載のシステムであって、
前記指定された許容レーンにおいて前記データ接続を形成するための手段は、更に、
ＳＡＳエクスパンダがＳＡＳイニシエータ接続要求のＯＰＥＮフレームを前記指定された許容レーンについてチェックした後に、前記データ接続のための指定された許容レーンにおいて前記データ接続を形成することを通じて、前記指定された許容レーンにおいて前記データ接続を形成するための手段を含む、システム。
【請求項１７】
ＳＡＳイニシエータから複数のＳＡＳターゲットへのデータ接続を形成するための回路であって、
ＳＡＳイニシエータと、
ＳＡＳワイドポートを通じて前記ＳＡＳイニシエータに接続される第１のＳＡＳエクスパンダと、
少なくとも一つの第１の物理ポートを含む第２のＳＡＳエクスパンダと、
少なくとも一つの第２の物理ポートを含む第３のＳＡＳエクスパンダと、
前記少なくとも一つの第１の物理ポートと前記少なくとも一つの第２の物理ポートとを組み合わせるための少なくとも１つの共通ＳＡＳワイドポートであって、前記第１のＳＡＳエクスパンダは、前記少なくとも１つの共通ＳＡＳワイドポートを通じて、前記第２のＳＡＳエクスパンダ及び前記第３のＳＡＳエクスパンダに接続され、前記第２のＳＡＳエクスパンダは、エクスパンダ間通信のための前記第２のＳＡＳエクスパンダの物理ポート及び前記第３のＳＡＳエクスパンダの物理ポートを通じて、前記第３のＳＡＳエクスパンダに直接接続される、少なくとも１つの共通ＳＡＳワイドポートと、
前記第２のＳＡＳエクスパンダ及び前記第３のＳＡＳエクスパンダに接続される複数のＳＡＳターゲットと、
を備える回路。
【請求項１８】
請求項１７に記載の回路であって、
前記複数のＳＡＳターゲットの数は、前記第２のＳＡＳエクスパンダの物理ポートの総数又は前記第３のＳＡＳエクスパンダの物理ポートの総数より多い、回路。
【請求項１９】
請求項１８に記載の回路であって、
前記ＳＡＳイニシエータは、前記ＳＡＳイニシエータからＳＡＳターゲットへのデータ接続を形成するために使用される前記ＳＡＳワイドポートのレーンを、接続要求のＯＰＥＮフレーム内で指定し、ＳＡＳエクスパンダは、前記ＳＡＳイニシエータによる前記接続要求のＯＰＥＮフレーム内で指定された前記ＳＡＳワイドポートのレーンによって前記データ接続を形成する、回路。
【請求項２０】
請求項１９に記載の回路であって、
前記ＳＡＳイニシエータと前記複数のＳＡＳターゲットとの間のデータ接続は、エクスパンダ間通信のための前記第２のＳＡＳエクスパンダの物理ポート及びエクスパンダ間通信のための前記第３のＳＡＳエクスパンダの物理ポートを用いる必要がない、回路。